(57)【要約】【課題】着用により、メタボリックシンドロームの予防を図る下衣を提供し、例えば、運動時間の少ないビジネスマンにおいて、ビジネスマン用のスーツスラックスを着用することにより、長時間に亘り、メタボリックシンドローム対策を行えるようにする。【解決手段】シリコンにゲルマニウム粉末を混合した混合材からなる滑り止め部１２を、帯状の下地１１の片面に設けて滑り止め体１０を構成し、その滑り止め部１２が下衣１の内側に配置されるようにして、滑り止め体１０を下衣１のウエスト部６，７，８の内面に腰廻り方向に沿って設けたことを特徴とする下衣と、この下衣に用いる下衣用滑り止め体。【選択図】図１
2010084293.tif 000002
【特許請求の範囲】
【請求項１】
シリコンにゲルマニウム粉末を混合した混合材からなる滑り止め部を、帯状の下地の片面に設けて滑り止め体を構成し、その滑り止め部が下衣の内側に配置されるようにして、滑り止め体を下衣のウエスト部の内面に腰廻り方向に沿って設けたことを特徴とする下衣。
【請求項２】
前記滑り止め部を、下地より突出する突起で形成し、該突起を下地の長手方向の全域に亘って配置したことを特徴とする請求項１記載の下衣。
【請求項３】
下衣のウエスト部を、右ウエスト部と左ウエスト部と後ウエスト部とに分離させ、該右ウエスト部と後ウエスト部の対向端部相互を重合するとともに左ウエスト部と後ウエスト部の対向端部相互を重合し、これら各重合部を腰廻り調節手段を用いて腰廻り方向に移動可能に連結し、前記各ウエスト部に、前記滑り止め体を分離して設けたことを特徴とする請求項１又は２記載の下衣。
【請求項４】
前記重合部において、内側のウエスト部の外面に、外部から視認できる警告ラインを設けたことを特徴とする請求項３記載の下衣。
【請求項５】
前記腰廻り調節手段を、前記重合部における内側のウエスト部の外側において、腰廻り方向に設けたレール部と、外側のウエスト部に設けられて前記レール部に移動可能に固着する可動部とで構成し、前記レール部の外面に、外部から視認できる警告ラインを設けたことを特徴とする請求項３又は４記載の下衣。
【請求項６】
下衣の腰部の内側に装着する滑り止め体であって、シリコンにゲルマニウム粉末を混合した混合材からなる滑り止め部を、帯状の下地の片面に設けたことを特徴とする下衣用滑り止め体。
【請求項７】
前記滑り止部を、下地より突出する突起で形成し、該突起を下地の長手方向の全域に亘って線状に配置したことを特徴とする請求項６記載の下衣用滑り止め体。
【請求項８】
前記滑り止部を、下地より突出するドーム状の突起で形成し、該突起を複数、適宜間隔を有して下地の長手方向の全域に亘って配置したことを特徴とする請求項６記載の下衣用滑り止め体。
【発明の詳細な説明】
【技術分野】
【０００１】
本発明は下衣と下衣用滑り止め体に関する。
【背景技術】
【０００２】
昨今の現代人が抱える問題として、生活習慣病のメタボリックシンドロームがあげられる。このメタボリックシンドロームは、内蔵脂肪がたまることによって高血圧、高血糖、高脂血症といった他の生活習慣病や合併症を引き起こす可能性が高い要因がある状態のことで、これらメタボリックシンドロームの原因は、内蔵脂肪を中心として全ての原因がつながっていると考えられている。
【０００３】
内蔵脂肪は腹筋の内側の壁の腹腔内につく脂肪であり、この内臓脂肪は代謝が活発で、つきやすく、落しやすい性質を持っている。そのため、遊離脂肪酸として血液中に溶け出しやすい。
【０００４】
内蔵脂肪が増える主な原因は、摂取カロリーが消費カロリーより多いためと言われており、これを改善するためには、一般的に食事の摂取カロリーを減らす事、運動をして筋力を付ける事などの方法がある。しかし、ビジネスマンなどの多忙な人においては、継続的に運動を続けることは困難である。
【発明の開示】
【発明が解決しようとする課題】
【０００５】
前記のことから、運動以外の方法のメタボリックシンドロームに対する対策として、低下している血行を改善することで、血液の流れを多くし、代謝を向上させて太りにくい体質にする方法も考えられる。
【０００６】
この点を考慮したとき、ビジネスマンは、１日の１／３以上スーツスラックスを着用しているため、本発明者はこのスーツスラックスにメタボリックシンドロームに対する対策を施すことに着目した。
【０００７】
通常スーツスラックスには、Ｙシャツなどの裾のはみ出しや、スーツスラックスの滑り落ちなどを抑止する滑り止め体（マーベルト）をウエストの腰裏に取付けたものが知られており、該滑り止め体は、滑り止め用のシリコンを下地に付設し、これを腰裏の生地に縫着して構成し、前記シリコンと上衣の繊維との接触摩擦によって上衣のずれを規制する機能のみであった。
【０００８】
そこで本発明は、着用時間の多いスーツスラックス等において、メタボリックシンドローム対策と上衣のずれを防止できる下衣及び、この下衣に使用する下衣用滑り止め体を提供することを目的とするものである。
【課題を解決するための手段】
【０００９】
前記の課題を解決するために、請求項１記載の発明は、シリコンにゲルマニウム粉末を混合した混合材からなる滑り止め部を、帯状の下地の片面に設けて滑り止め体を構成し、その滑り止め部が下衣の内側に配置されるようにして、滑り止め体を下衣のウエスト部の内面に腰廻り方向に沿って設けたことを特徴とする下衣である。
【００１０】
請求項２記載の発明は、請求項１記載の発明において、前記滑り止め部を、下地より突出する突起で形成し、該突起を下地の長手方向の全域に亘って配置したことを特徴とする下衣である。
【００１１】
請求項３記載の発明は、請求項１又は２記載の発明において、下衣のウエスト部を、右ウエスト部と左ウエスト部と後ウエスト部とに分離させ、該右ウエスト部と後ウエスト部の対向端部相互を重合するとともに左ウエスト部と後ウエスト部の対向端部相互を重合し、これら各重合部を腰廻り調節手段を用いて腰廻り方向に移動可能に連結し、前記各ウエスト部に、前記滑り止め体を分離して設けたことを特徴とする下衣である。
【００１２】
請求項４記載の発明は、請求項３記載の発明において、前記重合部において、内側のウエスト部の外面に、外部から視認できる警告ラインを設けたことを特徴とする下衣である。
【００１３】
請求項５記載の発明は、請求項３又は４記載の発明において、前記腰廻り調節手段を、前記重合部における内側のウエスト部の外側において、腰廻り方向に設けたレール部と、外側のウエスト部に設けられて前記レール部に移動可能に固着する可動部とで構成し、前記レール部の外面に、外部から視認できる警告ラインを設けたことを特徴とする下衣である。
【００１４】
請求項６記載の発明は、下衣の腰部の内側に装着する滑り止め体であって、シリコンにゲルマニウム粉末を混合した混合材からなる滑り止め部を、帯状の下地の片面に設けたことを特徴とする下衣用滑り止め体である。
【００１５】
請求項７記載の発明は、請求項６記載の発明において、前記滑り止部を、下地より突出する突起で形成し、該突起を下地の長手方向の全域に亘って線状に配置したことを特徴とする下衣用滑り止め体である。
【００１６】
請求項８記載の発明は、請求項６記載の発明において、前記滑り止部を、下地より突出するドーム状の突起で形成し、該突起を複数、適宜間隔を有して下地の長手方向の全域に亘って配置したことを特徴とする下衣用滑り止め体である。
【発明の効果】
【００１７】
本発明の請求項１乃至５記載の下衣によれば、この下衣を着用することにより、その滑り止め体におけるゲルマニウムを含んだ滑り止め部の作用により、血行促進、新陳代謝、細胞活性化を促し、内蔵脂肪を減らして生活習慣病であるメタボリックシンドロームを予防することができる。
【００１８】
そのため、例えばビジネスマンのスーツスラックスに本発明を適用すると、運動の少ないビジネスマンにおいて、メタボリックシンドロームの予防を長時間に亘って続けることができる。
【００１９】
更に、請求項２記載の発明によれば、滑り止め部を突起で形成したことから、前記のゲルマニウムによる作用に加え、腹部を刺激してマッサージ効果が得られ、より血行促進を図ることができるとともに、これらをウエスト全体に配置することでウエスト全体に効率良くマッサージ効果を促すことができる。
【００２０】
請求項３記載の発明によれば、重合部に腰廻り調節手段を設けたことにより、この腰廻り調節手段の調節によって腹部を適度に締め付けることができ、血管に適度の圧力をかける「着圧」効果が得られ、これにより、血行促進を図り、細胞を正常に整え、内蔵脂肪を取り除くことができるとともに、前記突起を腹部に押圧してマッサージ効果をより高めることができる。
【００２１】
請求項４及び５記載の発明によれば、警告ラインを設けたことにより、目標とするウエスト径を、この警告ラインで設定でき、着者のウエスト径が増えた場合には、この着色された警告ラインが露出し、外部から視認され、着者への警告となり自己管理を促すことができる。
【００２２】
請求項６記載の発明によれば、この滑り止め体を前記下衣の発明のように、下衣に付設することにより、前記の下衣の発明と同様の効果が得られる。
【００２３】
請求項７記載の発明によれば、前記請求項２と同様の効果が得られ、更に、請求項８記載の発明によれば、ドーム状の突起が腹部に各々当接することから、ツボに対する指圧効果が一層得られるとともに、点押圧型のマッサージ効果が得られる。
【発明を実施するための最良の形態】
【００２４】
本発明を実施するための最良の形態を図１乃至図６に示す実施例に基づいて説明する。
本発明は、スラックス（ズボン）、パンツ、スカートなどの下衣に適用するものであるが、図に基づく以下の実施例は、本発明をスラックスに適用した例で説明し、このスラックスを下衣１とする。
【００２５】
実施例の下衣１は、図１に示すように、右前身ごろ２と左前身ごろ３と後ろ身ごろ４とからなる。また、前記右前身ごろ２の上部前端と左前身ごろ３の上部前端とは、ファスナーなどの連結手段５により分離可能に連結されるようになっている。
【００２６】
前記右前身ごろ２の上部に設けた右ウエスト部６と、左前身ごろ３の上部に設けた左ウエスト部７と、後ろ身ごろ４の上部に設けた後ウエスト部８は、相互に分離しているとともに、後ろ身ごろ４の後ウエスト部８における腰廻り方向の一端部８ａの外面において、右ウエスト部６の後部６ａ、すなわち、後ウエスト部８の端部に対向する端部が摺動可能に重合し、後ウエスト部の他端部８ｂの外面において左ウエスト部７の後部７ａ、すなわち、後ウエスト部８の端部に対向する端部が摺動可能に重合している。該重合部を符号９として示す。
【００２７】
前記右ウエスト部６と左ウエスト部７と後ウエスト部８における各腰裏（内面）６ｃ，７ｃ，８ｃには、それぞれ、腰廻り方向に長い帯状の滑り止め体（マーベルトと称される）１０が固着されている。
【００２８】
該滑り止め体１０は、図２に示すように、前記各ウエスト部６，７，８毎に分割してこれら相互が分離して設けられ、これら分割した各分割滑り止め体１０ａ，１０ｂ，１０ｃが、腰廻りの同一線上に配置され、かつ、相互に腰廻り方向に各ウエスト部６，７，８とともに移動できるようになっている。
【００２９】
次に、前記滑り止め体１０について詳述する。
図３は本発明の滑り止め体１０の実施例１を示す。
【００３０】
該実施例１の滑り止め体１０は、すなわち、前記各分割滑り止め体１０ａ〜１０ｃは、図３（ａ），（ｂ），（ｃ）に示すように、帯状の布からなる下地１１の片面（着用した際の内面）に、滑り止め部１２を付着させて構成されており、実施例１では、これを突起１２で構成している。
【００３１】
前記突起１２は、上側に位置する上部突起１２ａと下側に位置する下部突起１２ｂとからなり、これら両突起１２ａ，１２ｂは下地１１の長手方向に線状に形成され、かつ、相互に並行して設けられている。
【００３２】
前記突起１２、すなわち、上部突起１２ａと下部突起１２ｂは、シリコン、例えばシリコン樹脂にゲルマニウム粉末を混合し、この混合材を下地１１に、この混合材が下地１１面より隆起するように、プリント方式で適度な弾性を有する突起に形成されている。なお、前記ゲルマニウム粉末は、例えば８０マイクロメートルの粒子を用い、シリコン樹脂とゲルマニウム粉末の混合割合は、混合材に対して、例えば、シリコン樹脂を略９０重量％、ゲルマニウム粉末を略１０重量％とする。また、前記下地１１は、一般的な滑り止め体（マーベルト）に用いられる素材を用いてもよいし、粗いメッシュ調のものを使用してもよい。粗いメッシュ調のものを使用すると、この下地１１に対する前記シリコン樹脂の付着を良くして剥離を防止し、耐久性の向上を図り、かつ、下地１１の通気性が良くなる。また、前記ゲルマニウム粉末は、無機ゲルマニウム粉末、より詳しくはＮ型無機高純度ゲルマニウム粉末を使用している。ここに高純度とは、９９．９９９９％のような高い純度を意味している。
【００３３】
前記線状の上部突起１２ａと線状の下部突起１２ｂは、下地１１の片面から所望の高さ、所望の断面形状に突出させるものであるが、図３に示す実施例１においては、下地１１は、その幅Ｗ１を略８０ｍｍに設定して形成し、上部突起１２ａと下部突起１２ｂは、その突出高さＨ１を略１ｍｍ〜３ｍｍに設定するとともに、長手方向と直交する横断面形状を略半円状にして形成し、上部突起１２ａと下部突起１２ｂとの間の間隔Ｄ１を略１５ｍｍに設定した。
【００３４】
そして、前記の上部突起１２ａと下部突起１２ｂは下地１１の長手方向の全長に亘って配置されている。
【００３５】
前記のように形成された分割滑り止め体１０ａ〜１０ｃは、その下地１１を前記腰裏６ｃ，７ｃ，８ｃの内側に縫着等により固着して付設されている。
【００３６】
また、下衣１を着用した際に、前記帯状の滑り止め体１０における両突起１２ａ，１２ｂが着者の腹部のへその高さ近傍に位置するように、着用者の股上を採寸し、下衣１の股上の寸法Ｈ２（図５参照）を着者に合わせて設定し、上部突起１２ａ又は下部突起１２ｂが、着者のへその両脇約３ｃｍ程の位置にある天枢というツボに当接するように設定される。このような股上の寸法Ｈ２の設定は、下衣１を、着者に合わせて形成するオーダーメイドにより設定するものである。
【００３７】
次に、下衣１におけるウエスト部の腰廻り寸法を調節する腰廻り調節手段について説明する。
【００３８】
前記後ウエスト部８と右ウエスト部６の重合部９及び後ウエスト部８と左ウエスト部７の重合部９には、図４に示すように、腰廻り調節手段１４がそれぞれ設けられ、右ウエスト部６と左ウエスト部７が後ウエスト部８に対してウエストの周方向に移動してウエスト径を拡縮でき、かつ、所望のウエスト径で、その位置を固定できるように構成されている。
【００３９】
前記腰廻り調節手段１４は、本実施例では図４に示す公知のアジャスター１５を使用した。該アジャスター１５は、レール部１６と可動部１７とからなる。前記レール部１６は、後ウエスト部８の両端部における前記重合部９の外周面において、腰廻り方向に沿って長い所定長に形成されて配置され、そのレール部１６の長手方向における両端が後ウエスト部８に縫着されている。更に、該レール部１６には、図示しない、位置決め手段となる係止部が長手方向に一定間隔で設けられている。
【００４０】
前記可動部１７は、右ウエスト部６と左ウエスト部７における前記重合部９の内面に固設されており、該可動部１７には横方向に貫通する貫通孔１７ａが設けられ、該貫通孔１７ａに前記レール部１６が移動可能に貫挿されている。
【００４１】
前記可動部１７には前記レール部１６の係合部に係合、離脱する操作部１９が設けられ、該操作部１９を上方から押圧して下動させることにより、該操作部１９がレール部１６の係合部から外れて可動部１７がレール部１６の長手方向において移動可能となり、操作部１９の押圧を解除することにより、図示しないバネにより操作部１９が上動してレール部１６の係合部に係止して、操作部１９の移動位置が保持されるようになっている。すなわち、前記可動部１７が取付けられた右ウエスト部６と左ウエスト部７は、前記可動部１７をレール部１６上において下衣１の前後方向にスライドさせることにより、これと一緒にスライドして、下衣１の胴回り径を調節することができる。
【００４２】
前記レール部１６の表面（外面）は、下衣１の縫製生地と同じ色の生地からなる被覆布２０で被覆され、レール部１６の表面を下衣１と同じ外観になるようにしている。
【００４３】
更に、前記被覆布２０の表面には、被覆布２０とは異なる色、例えば赤色に着色した警告ライン２１がレール部１６の前端から後方へ向けて所定の長さで設けられている。この警告ライン２１部を図５において斜線で示した。
【００４４】
この警告ライン２１は、右ウエスト部６と左ウエスト部７を後ウエスト部８に対して相対的に離間する方向（腰廻りが大径になる方向）にスライドさせると、右ウエスト部６と左ウエスト部７の後端６ｄ，７ｄからの警告ライン２１の露出部２１ａの露出量が漸増し、また、逆に、右ウエスト部６と左ウエスト部７を後ウエスト部８に対して反離間方向にスライドさせると、露出部２１ａの露出量が漸減するようになっている。そのため、この露出部２１ａの露出量を視認してメタボリックシンドロームに対する自己管理が行える。
【００４５】
また、図１に示すように、前記右ウエスト部６と左ウエスト部７の前部には、伸縮可能な止め具（前かん）２３が付設されている。
【００４６】
該止め具２３は、右ウエスト部６に固着された係止片２４と、左ウエスト部５に設けられているとともに、腰廻り方向における前後方向に移動可能で、かつ、バネ２６により常時後方へ付勢された可動フック２５とで構成されており、可動フック２５を係止片２４に係止することにより、そのバネ２５によって、着用状態において胴回りに適度な締め付け圧を付与するとともに、着席して腹部が拡径した場合は、バネ２６の縮小によって、ウエスト部が拡径し、上記の適度な締め付け力を維持するようになっている。
【００４７】
以上の構成により、本実施例１では、次のような作用、効果を発揮する。
前記のように、滑り止め体１０（マーベルト）の上部突部１２ａと下部突部１２ｂを、シリコン樹脂で形成したことから、シリコン樹脂の摩擦抵抗により、シャツ等の上衣が下衣１から滑り上ることを防止できる。
【００４８】
更に、前記滑り止め体１０のシリコン樹脂にゲルマニウム粉末を混合したことにより、次のような作用、効果を発揮する。
【００４９】
着用中において、ゲルマニウムが、３２度以上になるとマイナス自由電子が飛び出し、その電子浸透圧の働きによりマイナス自由電子が身体の皮下組織の毛細血管まで達し、その血管に浸透し、その血管壁に付着したコレステロールを分解して取り除き、血行をよくする働きをする。更に、ゲルマニウムが、人体の生体電流の電位バランスの乱れを正常に戻し、神経細胞を活性化する働きをする。
【００５０】
これらのことから、本発明の下衣１の滑り止め体１０に混入されたゲルマニウムにより、血行促進、新陳代謝、細胞活性化を促し、内蔵脂肪を減らして生活習慣病であるメタボリックシンドロームを予防することができる。
【００５１】
また、滑り止め体１０に設けた１ｍｍ〜３ｍｍの突起１２が腹部を刺激してマッサージ効果が得られ、より血行促進を図ることができるとともに、これらをウエスト全体に配置することでウエスト全体に効率良くマッサージ効果を促すことができる。
【００５２】
更に、この上部突起１２ａと下部突起１２ｂが、へその両脇の略３ｃｍ程離間した位置にある天枢というツボに当接することから、その突起１２ａ，１２ｂのツボへの指圧効果により、新陳代謝等を活発にして体の老廃物を排出させカロリー燃焼を促すことができる。
【００５３】
また、２本の突起１２ａ，１２ｂを設けたことにより、着用時に下衣１が上下に多少ずれても、どちらか一方の突起が有効に作用する。
【００５４】
また、重合部９にアジャスター１５を設けたことにより、このアジャスター１５の調節によって腹部を適度に締め付けることができ、血管に適度の圧力をかける「着圧」効果が得られ、これにより、血行促進を図り、細胞を正常に整え、内蔵脂肪を取り除くことができるとともに、前記突起１２を腹部に押圧してマッサージ効果をより高めることができる。
【００５５】
これら、ゲルマニウムによる効果と、突起１２による効果と、「着圧」効果の相乗効果により、一層メタボリックシンドロームの防止効果が向上する。
【００５６】
更に、前記の伸縮可能な止め具２３を具備することで更に適度な「着圧」効果を付加することができるとともに、ウエストの締め過ぎによる血行不良と人体へのストレスを軽減することができる。
【００５７】
したがって、本発明を、例えば、着用時間が長いビジネススーツに適用することにより、運動不足のビジネスマンに対し、日常において、メタボリックシンドロームの予防を図ることができる。
【００５８】
なお、本発明の下衣１の使用によるメタボリックシンドロームの予防効果が表れて、その着者のウエストが縮小した場合には、その下衣１のウエストサイズが着者に合わなくなる。この場合には、その下衣１のアジャスター１５によってウエスト部を縮径することにより、その下衣１のウエストサイズを着者のウエストに適合させることができる。したがって、ウエストの細い他の下衣に交換することなく、その下衣をウエストの縮小効果後も使用し、その下衣の効果を持続させることができる。
【００５９】
また、アジャスター１５に設けた警告ライン２１の露出部２１ａの露出量により、メタボリックシンドロームに対する自己健康管理も可能になる。例えば、着者の目標とするウエスト径を、この警告ライン２１が露出しない状態に設定する。そして、着者のウエスト径が増えた場合には、右ウエスト部６と左ウエスト部７が前方へ移動することから、前記の警告ライン２１が左右のウエスト部６，７の端部６ｄ、７ｄから後方へ移動して露出し、その警告ライン２１の露出部２１ａが外部から視認され、この警告ライン２１の表れと、その露出量が着者への警告となり自己管理を促すことができる。
【００６０】
なお、本実施例では突起１２を上部突起１２ａと下部突起１２ｂの２本で構成したが、突起１２を１本又は複数本で構成してもよい。
【００６１】
図６は本発明の滑り止め体の実施例２を示す。
実施例２の滑り止め体３０は、前記実施例１の滑り止め体１０における突起１２の変形例である。
【００６２】
実施例２の滑り止め部である突起３１は、大径の第１突起３１ａと小径の第２突起３１ｂからなり、該第１突起３１ａと第２突起３１ｂは前記実施例１の突起１２と同様の材料で形成され、シリコン樹脂にゲルマニウム粉末を混合し、この混合材を前記下地１１に、この混合材が下地１１の片面（着用した際の内面となる面）より隆起するように、プリント方式で適度な弾性を有する突起に形成されている。なお、前記実施例１と同様に、前記ゲルマニウム粉末は、例えば８０マイクロメートルの粒子を用い、シリコン樹脂とゲルマニウム粉末の混合割合は、混合材に対して、例えば、シリコン樹脂を略９０重量％、ゲルマニウム粉末を略１０重量％とする。また、前記下地１１は、粗いメッシュ調のものを使用し、この下地１１に対する前記シリコン樹脂の付着を良くして剥離を防止し、耐久性の向上を図り、かつ、下地１１の通気性を良くしている。
【００６３】
前記下地１１と、第１突起３１ａと第２突起３１ｂについて、図６に示す実施例２では、下地１１は、その幅Ｗ２を略８０ｍｍに設定して形成し、第１突起３１ａは、その基部を、その直径Ｒ１が略１１ｍｍの円形とし、高さＨ３を略１ｍｍ〜３ｍｍとしてドーム状に形成され、第２突起３１ｂは、その基部を、その直径Ｒ２が約５ｍｍの円形とし、高さＨ２を約１ｍｍ〜３ｍｍとしてドーム状に形成され、第１突起３１ａと第２突起３１ｂは、略２５ｍｍの高さ方向の幅Ｗ３の範囲内において形成されている。
【００６４】
更に、前記の第１突起３１ａは、垂直に対して斜め方向に２個所定の間隔で配置され、その隣に５個の第２突起３１ｂを前記第１突起３１ａの配置方向に沿って斜め方向に所定の間隔で配置し、これら第１突起３１ａと第２突起３１ｂが下地１１の長手方向の全域に亘って図６に示すように交互に配置されている。
【００６５】
この滑り止め体３０は、下衣１に対し前記実施例１の滑り止め体１０と同様な位置に固設する。
【００６６】
前記の構成により、実施例２の滑り止め体３０は、前記実施例１と同様の効果を発揮し、更に、ドーム状の突起３１が腹部に当接することから、ツボに対する指圧効果が一層得られるとともに、点押圧型のマッサージ効果が得られる。また、第１突起３１ａと第２突起３１ｂの径を異径にしたことから、接触面積が変わり圧力の異なる指圧効果を得ることが出来る。
なお、前記第１突起３１ａと第２突起３１ｂの個数は所望に設定することができる。
【００６７】
なお、前記実施例２の滑り止め部３１の変形例（実施例３）として、前記の大径の突起３１ａと小径の突起３１ｂを腰廻り方向に一列状で交互に適宜間隔を有して配置してもよく、また、同径の複数の突起を腰廻り方向に適宜間隔を有して配置しても良い。
【００６８】
なお、本発明は、上記実施例のビジネスマン用のスーツスラックスに限ることなく、通常のズボン、パンツ、スカートなどの下衣に適用できるものである。
【図面の簡単な説明】
【００６９】
【図１】本発明の実施例１の滑り止め体を備えた下衣を示す斜視図。
【図２】図１の下衣の各身ごろの構成を示す上面略図。
【図３】（ａ）は図１における実施例１の滑り止め体を示す正面図、（ｂ）はその平面図、（ｃ）は（ａ）におけるＡ−Ａ線の一部断面図。
【図４】図１の下衣におけるアジャスター部を示す側面図。
【図５】図１の下衣の股上寸法を示す側面図。
【図６】本発明におけるの実施例２の滑り止め体を示すもので、（ａ）は正面図、（ｂ）はその平面図。
【符号の説明】
【００７０】
１  下衣
６  右ウエスト部
７  左ウエスト部
８  後ウエスト部
９  重合部
６ｃ，７ｃ，８ｃ  腰裏
１０，３０  滑り止め体
１１  下地
１２，３１  突起（滑り止め部）
１４  腰廻り調節手段
１６  レール部
２１  警告ライン
【図１】
2010084293.tif 000003
【図２】
2010084293.tif 000004
【図３】
2010084293.tif 000005
【図４】
2010084293.tif 000006
【図５】
2010084293.tif 000007
【図６】
2010084293.tif 000008